(57)【特許請求の範囲】
【請求項１】
利用者を被写体として複数回撮影し、複数枚の撮影画像を得る撮影手段と、
前記撮影画像に、所定の加工を施す加工処理手段と、
前記撮影画像に、背景画像および／または前景画像を合成する編集手段と
を備え、
前記加工処理手段は、複数の前記撮影画像それぞれを、前記加工を施す加工対象とするか否かを選択し、
前記編集手段は、前記加工対象として選択された前記撮影画像に対する前記背景画像および／または前記前景画像の合成を制限し、
前記加工には、画像の一部または全体の色情報を変更する処理、並びに、画像に所定の質感および／または色のレイヤ画像を重畳する処理の少なくともいずれかが含まれる
写真シール作成装置。
【請求項２】
前記撮影画像に合成させる前記背景画像の選択をさせるための選択画面を表示する表示手段をさらに備え、
前記表示手段は、前記選択画面において、前記加工対象として選択された前記撮影画像に対する前記背景画像の合成が制限される旨の表示を行う
請求項１に記載の写真シール作成装置。
【請求項３】
前記編集手段は、前記加工が施された前記撮影画像に対して、前記加工の種類に対応した前記前景画像および／または前記前景画像の合成を許可する
請求項１または２に記載の写真シール作成装置。
【請求項４】
前記撮影画像をシール紙に印刷する印刷手段をさらに備え、
前記印刷手段は、前記加工が施された前記撮影画像を、前記シール紙における特定の領域に配置して印刷する
請求項１乃至３のいずれかに記載の写真シール作成装置。
【請求項５】
前記編集手段は、
複数の前記撮影画像を組み合わせて配置された組み合わせ画像を生成し、
前記加工対象として選択された前記撮影画像の数の分だけ、前記組み合わせ画像に配置される前記撮影画像の数を制限する
請求項１に記載の写真シール作成装置。
【請求項６】
前記撮影手段は、時間に応じて最終回の撮影が制限された場合、最終回より前の撮影により得られた前記撮影画像と同一の撮影画像を生成し、
前記加工処理手段は、同一の前記撮影画像それぞれを、前記加工対象とするか否かを選択する
請求項１に記載の写真シール作成装置。
【請求項７】
利用者を被写体として複数回撮影し、複数枚の撮影画像を得る撮影手段と、
前記撮影画像に、所定の加工を施す加工処理手段と、
前記撮影画像に、背景画像および／または前景画像を合成する編集手段とを備える写真シール作成装置の画像編集方法であって、
前記加工処理手段が、複数の前記撮影画像それぞれを、前記加工を施す加工対象とするか否かを選択し、
前記編集手段が、前記加工対象として選択された前記撮影画像に対する前記背景画像および／または前記前景画像の合成を制限する
ステップを含み、
前記加工には、画像の一部または全体の色情報を変更する処理、並びに、画像に所定の質感および／または色のレイヤ画像を重畳する処理の少なくともいずれかが含まれる
画像編集方法。
【請求項８】
利用者を被写体として複数回撮影し、複数枚の撮影画像を得る撮影手段と、
前記撮影画像に、所定の加工を施す加工処理手段と、
前記撮影画像に、背景画像および／または前景画像を合成する編集手段とを備える写真シール作成装置を制御するプログラムであって、
複数の前記撮影画像それぞれを、前記加工を施す加工対象とするか否かを選択し、
前記加工対象として選択された前記撮影画像に対する前記背景画像および／または前記前景画像の合成を制限する
ステップを含む処理をコンピュータに実行させ、
前記加工には、画像の一部または全体の色情報を変更する処理、並びに、画像に所定の質感および／または色のレイヤ画像を重畳する処理の少なくともいずれかが含まれる
プログラム。
【発明の詳細な説明】
【技術分野】
【０００１】
本発明は、写真シール作成装置、画像編集方法、およびプログラムに関し、特に、完成度の高い画像を提供することができるようにする写真シール作成装置、画像編集方法、およびプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
このような写真シール機の中には、予め用意された背景画像を撮影回数と同じ数だけ選択させ、選択された背景画像を、撮影により得られた撮影画像それぞれに合成させるようにしたものがある（例えば、特許文献１参照）。
【０００５】
また、所定のテーマで統一された背景画像の組み合わせであるセット背景が予め用意され、選択されたセット背景に含まれる背景画像を、撮影画像それぞれに合成させるようにした写真シール機がある（例えば、特許文献２参照）。なお、特許文献２においては、セット背景に含まれる背景画像の数は、撮影回数と同じ数、すなわち撮影画像の数と同じとされる。
【先行技術文献】
【特許文献】
【０００６】
【特許文献１】特開２００８−２７８１２３号公報
【特許文献２】特開２０１１−２３２６３０号公報
【発明の概要】
【発明が解決しようとする課題】
【０００７】
上述したように、特許文献１，２の写真シール機においては、撮影回数と同じ数の背景画像が用意され、その背景画像が撮影画像それぞれに合成されるようになされているが、例えば、撮影画像にフィルタ加工を施すようにした場合、その加工内容と、合成される背景画像とが必ずしも合わない可能性がある。
【０００８】
すなわち、撮影画像にフィルタ加工を施すような写真シール機においては、フィルタ加工が施された撮影画像に背景画像を合成させることで、その完成度を低下させるおそれがある。
【０００９】
本発明は、このような状況に鑑みてなされたものであり、より確実に、完成度の高い画像を提供することができるようにするものである。
【課題を解決するための手段】
【００１０】
本発明の一側面の写真シール作成装置は、利用者を被写体として複数回撮影し、複数枚の撮影画像を得る撮影手段と、前記撮影画像に、所定の加工を施す加工処理手段と、前記撮影画像に、背景画像および／または前景画像を合成する編集手段とを備え、前記加工処理手段は、複数の前記撮影画像それぞれを、前記加工を施す加工対象とするか否かを選択し、前記編集手段は、前記加工対象として選択された前記撮影画像に対する前記背景画像および／または前記前景画像の合成を制限し、前記加工には、画像の一部または全体の色情報を変更する処理、並びに、画像に所定の質感および／または色のレイヤ画像を重畳する処理の少なくともいずれかが含まれる。
【００１３】
前記撮影画像に合成させる前記背景画像の選択をさせるための選択画面を表示する表示手段をさらに設け、前記表示手段には、前記選択画面において、前記加工対象として選択された前記撮影画像に対する前記背景画像の合成が制限される旨の表示を行わせることができる。
【００１５】
前記編集手段には、前記加工が施された前記撮影画像に対して、前記加工の種類に対応した前記前景画像および／または前記前景画像の合成を許可させることができる。
【００１６】
前記撮影画像をシール紙に印刷する印刷手段をさらに設け、前記印刷手段には、前記加工が施された前記撮影画像を、前記シール紙における特定の領域に配置して印刷させることができる。
【００１７】
前記編集手段には、複数の前記撮影画像を組み合わせて配置された組み合わせ画像を生成させ、前記加工対象として選択された前記撮影画像の数の分だけ、前記組み合わせ画像に配置される前記撮影画像の数を制限させることができる。
【００１８】
前記撮影手段には、時間に応じて最終回の撮影が制限された場合、最終回より前の撮影により得られた前記撮影画像と同一の撮影画像を生成させ、前記加工処理手段には、同一の前記撮影画像それぞれを、前記加工対象とするか否かを選択させることができる。
【００１９】
本発明の一側面の画像編集方法は、利用者を被写体として複数回撮影し、複数枚の撮影画像を得る撮影手段と、前記撮影画像に、所定の加工を施す加工処理手段と、前記撮影画像に、背景画像および／または前景画像を合成する編集手段とを備える写真シール作成装置の画像編集方法であって、前記加工処理手段が、複数の前記撮影画像それぞれを、前記加工を施す加工対象とするか否かを選択し、前記編集手段が、前記加工対象として選択された前記撮影画像に対する前記背景画像および／または前記前景画像の合成を制限するステップを含み、前記加工には、画像の一部または全体の色情報を変更する処理、並びに、画像に所定の質感および／または色のレイヤ画像を重畳する処理の少なくともいずれかが含まれる。
【００２０】
本発明の一側面のプログラムは、利用者を被写体として複数回撮影し、複数枚の撮影画像を得る撮影手段と、前記撮影画像に、所定の加工を施す加工処理手段と、前記撮影画像に、背景画像および／または前景画像を合成する編集手段とを備える写真シール作成装置を制御するプログラムであって、複数の前記撮影画像それぞれを、前記加工を施す加工対象とするか否かを選択し、前記加工対象として選択された前記撮影画像に対する前記背景画像および／または前記前景画像の合成を制限するステップを含む処理をコンピュータに実行させ、前記加工には、画像の一部または全体の色情報を変更する処理、並びに、画像に所定の質感および／または色のレイヤ画像を重畳する処理の少なくともいずれかが含まれる。
【００２１】
本発明の一側面においては、複数の撮影画像それぞれを、加工を施す加工対象とするか否かが選択され、加工対象として選択された撮影画像に対する背景画像および／または前景画像の合成が制限され、加工には、画像の一部または全体の色情報を変更する処理、並びに、画像に所定の質感および／または色のレイヤ画像を重畳する処理の少なくともいずれかが含まれる。
【発明の効果】
【００２２】
本発明によれば、より確実に、完成度の高い画像を提供することが可能となる。
【図面の簡単な説明】
【００２３】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の機能構成例を示すブロック図である。
【図１０】撮影処理部および編集処理部の機能構成例を示すブロック図である。
【図１１】写真シール作成ゲーム処理の流れの例を説明するフローチャートである。
【図１２】撮影処理の流れの例を説明するフローチャートである。
【図１３】アートフィルタ撮影処理の流れの例を説明するフローチャートである。
【図１４】アートフィルタ選択画面の例を示す図である。
【図１５】アートフィルタ選択画面の他の例を示す図である。
【図１６】編集処理の流れの例を説明するフローチャートである。
【図１７】背景選択画面の例を示す図である。
【図１８】セット背景選択画面の例を示す図である。
【図１９】セット背景選択画面の他の例を示す図である。
【図２０】SNS用画像作成画面の例を示す図である。
【図２１】シール紙の例を示す図である。
【発明を実施するための形態】
【００２４】
以下、本発明を適用した具体的な実施の形態について、図面を参照しながら詳細に説明する。
【００２５】
［写真シール作成装置の外観構成］
図１は、画像生成装置としての写真シール作成装置１の外観の構成例を示す斜視図である。
【００２６】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２７】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２８】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２９】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３０】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３１】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図示せず）から構成される。
【００３２】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３３】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。
【００３４】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３５】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００３６】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３７】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３８】
図１に示す編集部１２の構成を正面側の構成とすると、２組の利用者が同時に編集処理を行うことができるように、編集部１２の正面側と背面側には編集処理に用いられる構成がそれぞれ設けられる。
【００３９】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００４０】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４１】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４２】
図２は、写真シール作成装置１を別の角度から見た斜視図である。
【００４３】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４４】
図２に示すように、事後接客部１３は、所定の厚さを有する板状の筐体をその一部として有しており、残りの部分は編集部１２の左側面と一体に設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４５】
ここで、写真シール作成ゲームの流れと、それに伴う利用者の移動について図３を参照して説明する。図３は、写真シール作成装置１を上から見た平面図である。
【００４６】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４７】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４８】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４９】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５０】
画像の印刷が終了したとき、利用者は、事後接客部１３に設けられた排出口からシール紙を受け取り、一連の写真シール作成ゲームを終えることになる。
【００５１】
次に、各装置の構成について説明する。
【００５２】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５３】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５４】
正面パネル４１のほぼ中央には撮影・表示ユニット８１が設けられる。撮影・表示ユニット８１は、カメラ９１、正面ストロボ９２、およびタッチパネルモニタ９３から構成される。
【００５５】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５６】
カメラ９１を囲むように発光面が設けられた正面ストロボ９２は、他のストロボと同様にカメラ９１による撮影に合わせて発光し、被写体としての利用者の顔付近を正面から照射する。
【００５７】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、撮影画像としての静止画像や、背景等の画像が合成された後の動画像が表示される。
【００５８】
正面パネル４１には、撮影・表示ユニット８１の位置を基準として、上方に上ストロボ８２が設置される。また、左方に左ストロボ８３が設置され、右方に右ストロボ８４が設置される。
【００５９】
上ストロボ８２は、利用者を上前方から照射する。左ストロボ８３は、利用者を左前方から照射し、右ストロボ８４は、利用者を右前方から照射する。
【００６０】
ベース部４３には利用者の足元を照射する足元ストロボ８６も設けられる。上ストロボ８２、左ストロボ８３、右ストロボ８４、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影処理の内容に応じて適宜調整される。
【００６１】
足元ストロボ８６の右側には、利用者がお金を投入する硬貨投入返却口８７が設けられる。
【００６２】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６３】
［背景部の構成］
図５は、背景部２２の撮影空間Ａ１側の構成例を示す図である。
【００６４】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６５】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００６６】
［編集部の構成］
図６は、編集部１２の正面側（編集空間Ａ２−１側）の構成例を示す図である。
【００６７】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６８】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６９】
編集部１２の左側には事後接客部１３が設けられる。
【００７０】
［事後接客部の構成］
図７は、事後接客部１３の正面側の構成例を示す図である。
【００７１】
事後接客部１３の上方中央にはタブレット内蔵モニタ１６１が設けられる。タブレット内蔵モニタ１６１は、利用者の指などによって操作入力が可能なタブレットがLCDなどのモニタに重畳して設けられることによって構成される。タブレット内蔵モニタ１６１には、ミニゲームなどの事後接客処理に用いられる画面が表示される。
【００７２】
タブレット内蔵モニタ１６１の下にはスピーカ１６２が設けられ、スピーカ１６２の下にはシール紙排出口１６３が設けられる。
【００７３】
スピーカ１６２は、事後接客処理の案内音声、BGM、効果音等の音を出力する。
【００７４】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７５】
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００７６】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００７７】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００７８】
通信部２０３は、インターネットなどのネットワークのインタフェースであり、制御部２０１による制御に従って外部の装置と通信を行う。
【００７９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８０】
ROM２０６には、制御部２０１において実行されるプログラムやデータが記憶されている。RAM２０７は、制御部２０１が処理するデータやプログラムを一時的に記憶する。
【００８１】
撮影部２０８は、撮影空間Ａ１における撮影処理を行う構成である硬貨処理部２２１、背景制御部２２２、照明装置２２３、カメラ９１、タッチパネルモニタ９３、およびスピーカ２２４から構成される。
【００８２】
硬貨処理部２２１は、硬貨投入返却口８７に対する硬貨の投入を検出する。硬貨処理部２２１は、例えば４００円などの所定の金額分の硬貨が投入されたことを検出した場合、そのことを表す起動信号を制御部２０１に出力する。
【００８３】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８４】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、足元ストロボ８６と、背景部２２に設けられる背面中央ストロボ１０１、背面左ストロボ１０２，背面右ストロボ１０３が設けられている。
【００８５】
また、照明装置２２３は、制御部２０１による制御に従って発光量を調整することによって、利用者が行っている撮影作業の段階に応じて撮影空間Ａ１内の明るさを調整する。
【００８６】
カメラ９１は、制御部２０１による制御に従って撮影を行い、撮影によって得られた画像を制御部２０１に出力する。
【００８７】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００８８】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８９】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【００９０】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９１】
［制御部の構成］
次に、制御部２０１について説明する。図９は、制御部２０１がROM２０６などに格納されているプログラムを実行することにより実現される機能ブロックの構成例を示している。
【００９２】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【００９３】
つまり、制御部２０１は、写真シール作成ゲームの各工程に関する処理の制御を行う。
【００９４】
［撮影処理部および編集処理部の機能構成例］
次に、図１０を参照して、撮影処理部３０１および編集処理部３０２の機能構成例について説明する。
【００９５】
撮影処理部３０１は、表示制御部３１１、入力受付部３１２、撮影処理部３１３、および加工処理部３１４から構成される。
【００９６】
表示制御部３１１は、撮影部２０８におけるタッチパネルモニタ９３の表示を制御する。
【００９７】
入力受付部３１２は、タッチパネルモニタ９３に対する、利用者による操作入力を受け付ける。
【００９８】
撮影制御部３１３は、カメラ９１を制御し、利用者を被写体として複数回の撮影を行い、複数枚の撮影画像を取得する。
【００９９】
加工処理部３１４は、撮影により取得された撮影画像に所定の加工を施す加工処理を行う。詳細は後述するが、加工処理部３１４によって行われる加工処理は、編集作業に応じて撮影画像に対して背景画像や前景画像といった合成用画像を合成する処理とは異なり、撮影画像の質感や色を変える処理である。
【０１００】
また、編集処理部３０２は、表示制御部３２１、入力受付部３２２、および合成処理部３２３から構成される。
【０１０１】
表示制御部３２１は、編集部２０９Ａ，２０９Ｂにおけるタブレット内蔵モニタ１３１の表示を制御する。
【０１０２】
入力受付部３２２は、タブレット内蔵モニタ１３１に対する、利用者によるタッチペン１３２Ａ，１３２Ｂを用いた操作入力を受け付ける。
【０１０３】
合成処理部３２３は、タブレット内蔵モニタ１３１に対する操作入力に基づいて、利用者により選択された合成用画像を撮影画像に合成する。
【０１０４】
［写真シール作成装置の動作］
ここで、図１１のフローチャートを参照して、写真シール作成ゲームを提供する写真シール作成装置１の処理について説明する。
【０１０５】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１０６】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。撮影処理では、利用者による選択に応じて、利用者の顔または上半身を撮影するアップ撮影や、利用者の全身を撮影する全身撮影が行われる。
【０１０７】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１０８】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として選択された撮影画像に合成する合成用画像を利用者に選択させ、選択された合成用画像を撮影画像に合成させ、得られた合成画像に対して、利用者による編集操作に従って編集を行う。
【０１０９】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１０】
ステップＳ６において、印刷処理部３０３は、撮影処理により得られた撮影画像または編集処理により得られた編集済み画像をプリンタ２４１に出力してシール紙に印刷させる印刷処理を行う（開始する）。
【０１１１】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１１２】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１１３】
［撮影処理の流れ］
次に、図１２のフローチャートを参照して、上述した写真シール作成ゲームの一連の処理におけるステップＳ２の撮影処理の流れを説明する。
【０１１４】
まず、ステップＳ３１において、撮影処理部３０１の表示制御部３１１が、写りコース選択画面をタッチパネルモニタ９３に表示させ、入力受付部３１２が、利用者からの指示を受け付けることで、利用者に写りコースを選択させる。写りコース選択画面は、撮影画像における被写体の写りを決定する写りコースの選択に用いられる画面である。
【０１１５】
ステップＳ３２において、表示制御部３１１が、撮影コース選択画面をタッチパネルモニタ９３に表示させ、入力受付部３１２が、利用者からの指示を受け付けることで、利用者に撮影コースを選択させる。撮影コース選択画面は、撮影の種類（アップ撮影や全身撮影、利用者の人数に応じた撮影など）を決定する撮影コースの選択に用いられる画面である。
【０１１６】
具体的には、撮影コースには、「アップ＆全身」、「アップＯＮＬＹ」、「大人数」、「誕生日」、「期間限定」の５つのコースがある。例えば、「アップ＆全身」コースが選択されると、利用者を被写体とした複数回の撮影として、アップ撮影と全身撮影とが行われ、「アップＯＮＬＹ」コースが選択されると、アップ撮影のみが行われる。
【０１１７】
ステップＳ３３において、撮影処理部３０１は、タッチパネルモニタ９３やスピーカ２２４等を制御して、撮影の流れを案内する画像や音声を出力することにより、利用者に対して撮影のガイダンスを行う。
【０１１８】
ステップＳ３４において、撮影処理部３０１は、撮影を行う。
【０１１９】
具体的には、撮影制御部３１３は、カメラ９１を制御し、画像の取り込みを開始させ、カメラ９１により取り込まれた動画像（ライブビュー画像）をタッチパネルモニタ９３に表示させる（ライブビュー表示を行う）。次に、表示制御部３１１は、タッチパネルモニタ９３にカウントダウンインジケータを表示し、撮影タイミングを利用者に通知する。そして、撮影タイミングになったとき、撮影制御部３１３は、カメラ９１を制御して撮影を行い、静止画像である撮影画像を取得する。
【０１２０】
表示制御部３１１が、撮影により得られた撮影画像を、撮影結果として撮影画面に表示した後、ステップＳ３５において、撮影制御部３１３は、撮影を所定回数繰り返し行ったか否かを判定する。ステップＳ３５において撮影を所定回数行っていないと判定された場合、処理はステップＳ３４に戻り、上述の処理を繰り返し行う。具体的には、５回の撮影が行われるまで、上述の処理が繰り返される。
【０１２１】
５回の撮影が行われた後、ステップＳ３６において、撮影制御部３１３は、撮影可能時間内か否かを判定することで、経過時間または残り時間に基づいて、撮影可能か否かを判定する。ステップＳ３６において、撮影可能であると判定された場合、処理はステップＳ３７に進み、撮影制御部３１３は、６回目の撮影として「ボーナス撮影」を行う。
【０１２２】
ステップＳ３７の後、処理は図１１のステップＳ２に戻り、それ以降の処理が行われる。
【０１２３】
一方、ステップＳ３６において、撮影可能でないと判定された場合、ステップＳ３７はスキップされ、ボーナス撮影（６回目の撮影）は行われずに、処理は図１１のステップＳ２に戻る。
【０１２４】
以上のように、撮影処理において、ボーナス撮影が行われた場合には、６回の撮影が行われ、６枚の撮影画像が取得されるようになる。なお、取得された６枚の撮影画像は、記憶部２０２に保存（記憶）される。
【０１２５】
また、上述した撮影処理において、撮影コースとして「アップ＆全身」コースが選択された場合には、６回の撮影のうち、１回目乃至４回目の撮影がアップ撮影として行われ、５回目および６回目の撮影が全身撮影として行われる。また、撮影コースとして「アップＯＮＬＹ」コースが選択された場合には、６回の撮影全てがアップ撮影として行われる。
【０１２６】
さらに、上述した撮影処理においては、６回の撮影のうちの、５回目および６回目の撮影において、アートフィルタ撮影処理が行われる。
【０１２７】
アートフィルタ撮影処理とは、撮影画像に施される加工の加工内容を利用者に選択させ、撮影を行った後、得られた撮影画像に、利用者により選択された加工を施す処理である。具体的には、撮影画像に施されるアートフィルタ加工として、撮影画像に、所定の質感および／または色のレイヤ画像（以下、アートフィルタという）を重畳する処理が行われる。ここでいう質感とは、例えば明るさや透明感といった、画像の表面の視覚的な感じを表す。
【０１２８】
［アートフィルタ撮影処理の詳細］
ここで、図１３のフローチャートを参照して、５回目および６回目の撮影において行われるアートフィルタ撮影処理の詳細について説明する。
【０１２９】
ステップＳ５１において、表示制御部３１１は、アートフィルタ選択画面をタッチパネルモニタ９３に表示させ、ステップＳ５２において、入力受付部３１２は、アートフィルタの選択を受け付ける。
【０１３０】
図１４は、アートフィルタ選択画面の例を示す図である。なお、図１４Ａは、撮影コースとして「アップＯＮＬＹ」コースが選択された場合（５回目および６回目の撮影としてアップ撮影が行われる場合）のアートフィルタ選択画面を示しており、図１４Ｂは、撮影コースとして「アップ＆全身」コースが選択された場合（５回目および６回目の撮影として全身撮影が行われる場合）のアートフィルタ選択画面を示している。
【０１３１】
図１４Ａにおいて、アートフィルタ選択画面４１１下方には、６枚のサンプル画像４２１乃至４２６が左右１列に配列されて表示される。サンプル画像４２１乃至４２６は、モデルを被写体としてアップ撮影が行われたモデル画像にそれぞれ異なるアートフィルタが重畳された画像、すなわち、それぞれ異なるアートフィルタ加工が施された画像である。なお、サンプル画像４２１は、いずれのアートフィルタ加工も施されていない画像とする。このように、アートフィルタ加工が施されていないサンプル画像を用意することで、加工されていない画像を所望する利用者に対して、選択の余地を与えることができる。
【０１３２】
アートフィルタ選択画面４１１の中央よりやや上方には、選択サンプル画像表示領域４３１，４３２が設けられている。選択サンプル画像表示領域４３１，４３２には、サンプル画像４２１乃至４２６のうち、利用者によって選択された２枚のサンプル画像が表示される。
【０１３３】
同様に、図１４Ｂにおいて、アートフィルタ選択画面４１１下方には、７枚のサンプル画像４４１乃至４４７が左右１列に配列されて表示される。サンプル画像４４１乃至４４７は、モデルを被写体として全身撮影が行われたモデル画像に対して、それぞれ異なるアートフィルタ加工が施された画像である。なお、サンプル画像４４１は、いずれのアートフィルタ加工も施されていない画像とする。
【０１３４】
アートフィルタ選択画面４１１の中央よりやや上方には、選択サンプル画像表示領域４５１，４５２が設けられている。選択サンプル画像表示領域４５１，４５２には、サンプル画像４４１乃至４４７のうち、利用者によって選択された２枚のサンプル画像が表示される。
【０１３５】
このようにして、利用者は、アートフィルタ選択画面４１１に表示されるサンプル画像の中から２枚を選択することで、撮影処理における５枚目および６枚目の撮影画像の２枚に施されるアートフィルタ加工を選択することができる。なお、サンプル画像として、同一のサンプル画像を２枚選択することも可能とする。
【０１３６】
したがって、アートフィルタ加工が施されるパターンとして、撮影画像２枚それぞれにアートフィルタ加工を施すパターン、撮影画像２枚のうちのいずれか一方にアートフィルタ加工を施すパターンの２つのパターンと、撮影画像２枚のいずれにもアートフィルタ加工を施さないパターンとがある。
【０１３７】
また、アートフィルタ選択画面４１１において、所定時間内に２枚のサンプル画像が選択されなかった場合には、予め決められた２枚のサンプル画像が選択されるようにする。この２枚のサンプル画像は、２枚ともアートフィルタ加工が施されたものとするが、１枚のみアートフィルタ加工が施されたものであってもよいし、２枚ともアートフィルタ加工が施されていないものであってもよい。
【０１３８】
図１３のフローチャートに戻り、ステップＳ５３において、撮影処理部３０１は、撮影を行う。
【０１３９】
具体的には、撮影制御部３１３は、カメラ９１を制御し、画像の取り込みを開始させ、表示制御部３１１は、カメラ９１により取り込まれた動画像（ライブビュー画像）をタッチパネルモニタ９３に表示させる（ライブビュー表示を行う）。このとき、加工処理部３１４は、アートフィルタの選択の受け付けの結果、すなわち、アートフィルタ加工が施されたサンプル画像が選択されたか否かに基づいて、撮影により得られる撮影画像を、アートフィルタ加工を施す加工対象とするか否かを選択する。加工処理部３１４は、撮影画像を加工対象とする場合、タッチパネルモニタ９３に表示されるライブビュー画像に対してアートフィルタ加工を施し、撮影画像を加工対象としない場合、タッチパネルモニタ９３に表示されるライブビュー画像に対していずれも加工もしない。
【０１４０】
その後、表示制御部３１１は、タッチパネルモニタ９３にカウントダウンインジケータを表示し、撮影タイミングを利用者に通知する。そして、撮影タイミングになったとき、撮影制御部３１３は、カメラ９１を制御して撮影を行い、静止画像である撮影画像を取得する。
【０１４１】
ステップＳ５４において、加工処理部３１４は、撮影画像を加工対象とする場合、取得された撮影画像に対して、選択されたサンプル画像に対応するアートフィルタ加工を施す。また、撮影画像を加工対象としない場合、取得された撮影画像に対して、いずれの加工もしない。
【０１４２】
ステップＳ５３，Ｓ５４の処理が２回、すなわち、５回目および６回目の撮影の分だけ行われると、処理は終了する。
【０１４３】
以上の処理により、撮影処理により得られる６枚の撮影画像のうち、５枚目と６枚目の撮影画像に対して、アートフィルタ加工を施すことができる。
【０１４４】
なお、以上においては、撮影処理により得られる６枚の撮影画像のうち、５枚目と６枚目の撮影画像２枚に対して、アートフィルタ加工が施されるものとしたが、例えば、６枚目の撮影画像のみに、アートフィルタ加工が施されるようにしてもよい。
【０１４５】
この場合、アートフィルタ選択画面４１１において、利用者が選択可能なサンプル画像は１枚となり、図１５Ａ，Ｂそれぞれに示されるように、選択サンプル画像表示領域も１つとなる。
【０１４６】
また、撮影が行われるより前に、アートフィルタ加工が施される撮影画像（加工対象）の枚数を利用者に選択させるようにし、選択された枚数に応じて、アートフィルタ選択画面４１１に設けられる選択サンプル画像表示領域の数を決定するようにしてもよい。
【０１４７】
なお、上述したアートフィルタ撮影処理は、撮影コースに関わらず行われるものとするが、撮影コースによって、アートフィルタ撮影処理が行われるか否かが決まるようにしてもよい。
【０１４８】
［編集処理の例］
次に、図１６のフローチャートを参照して、上述した写真シール作成ゲームの一連の処理におけるステップＳ４の編集処理の流れを説明する。
【０１４９】
編集処理が開始されると、ステップＳ７１において、編集処理部３０２は、撮影処理部３０１により得られた、例えば６枚の撮影画像を、記憶部２０２から取得する。
【０１５０】
ステップＳ７２において、表示制御部３２１が、タブレット内蔵モニタ１３１に名前入力画面を表示し、入力受付部３２２が、利用者からの指示を受け付けることで、利用者それぞれの名前を入力させる。
【０１５１】
ステップＳ７３において、表示制御部３２１が、タブレット内蔵モニタ１３１に背景選択画面を表示し、入力受付部３２２が、利用者からの指示を受け付けることで、撮影画像それぞれに合成させる背景画像を選択させる。
【０１５２】
ステップＳ７４において、編集処理部３０２は、タブレット内蔵モニタ１３１やスピーカ２３１等を制御して、落書き作業の流れを案内する画像や音声を出力することにより、利用者に対して落書き作業のガイダンスを行う。
【０１５３】
ステップＳ７５において、表示制御部３２１は、タブレット内蔵モニタ１３１に編集画面を表示する。
【０１５４】
ステップＳ７６において、編集処理部３０２は、編集部２０９Ａまたは編集部２０９Ｂ（利用者が編集作業を行う方）の各部を制御して、利用者による撮影画像に対する落書き編集作業を受け付ける落書き編集処理を行う。すなわち、合成処理部３２３は、利用者の落書き編集によって、編集対象画像に合成用画像を合成する。
【０１５５】
落書き作業が終了すると、ステップＳ７７において、表示制御部３２１が、タブレット内蔵モニタ１３１に分割数選択画面を表示し、入力受付部３２２が、利用者からの指示を受け付けることで、シール紙の分割数を選択させる。これにより、シール紙の分割数が設定され、シールレイアウトが決定される。
【０１５６】
その後、編集処理部３０２が、落書き編集処理の結果得られた編集済み画像を、記憶部２０２に保存（記憶）させると、図１１のステップＳ４に戻り、それ以降の処理が行われる。
【０１５７】
［背景選択画面の例］
ここで、図１７を参照して、図１６のステップＳ７３において表示される背景選択画面の例について説明する。
【０１５８】
図１７に示されるように、背景選択画面５１１の下半分には、利用者に選択させる複数の背景画像が表示される背景パレット５２１が設けられている。背景パレット５２１の上方には、撮影処理により得られた６枚の撮影画像それぞれが表示される撮影画像表示領域５２２−１乃至５２２−６が設けられている。
【０１５９】
背景パレット５２１には、背景画像が、「ノーマル」、「パターン」、「デザイン」、「セット」といったジャンル毎のタブに表示されるようになされており、図１７の例では、「デザイン」タブが選択されている。「デザイン」タブには、様々なデザインが施された２４枚の背景画像が表示されている。
【０１６０】
さらに、背景パレット５２１の右下部分には、「人物ON」ボタン５３１および「人物OFF」ボタン５３２が設けられている。「人物ON」ボタン５３１が選択されると、背景パレット５２１に表示されている背景画像それぞれは、撮影画像表示領域５２２−１乃至５２２−６のうちの選択されているものに表示されている撮影画像が合成された状態で表示される。「人物OFF」ボタン５３２が選択されると、背景画像それぞれは、撮影画像が合成されていない状態で表示される。
【０１６１】
このように、背景選択画面５１１に表示される背景画像を、撮影画像と合成させて表示させることで、利用者は、背景画像を合成させた後の撮影画像の仕上がりを確認しながら、背景画像を選択することができる。
【０１６２】
なお、本実施の形態においては、撮影処理において、アートフィルタ加工が施される加工対象として選択された撮影画像の有無に応じて、撮影画像に合成される背景画像の枚数が制限されるようになされている。より具体的には、加工対象として選択された撮影画像の数の分だけ、利用者が選択可能な背景画像の数、すなわち、撮影画像に合成される背景画像の選択回数が制限される。
【０１６３】
例えば、撮影処理において、６枚の撮影画像のうち、５枚目と６枚目の撮影画像が２枚とも加工対象として選択されている場合、背景選択画面５１１においては、図１７Ａに示されるように、５枚目と６枚目の撮影画像が表示される撮影画像表示領域５２２−５，５２２−６には、アートフィルタ加工が施された撮影画像の上に、「フィルタ選択済み」のメッセージが記された帯状の画像が重畳されて表示され、背景画像が選択できないようになされている。
【０１６４】
すなわち、この場合、１枚目から４枚目の撮影画像についての、４枚の背景画像が選択されることになる。
【０１６５】
また、撮影処理において、６枚の撮影画像のうち、６枚目の撮影画像が加工対象として選択されている場合、背景選択画面５１１においては、図１７Ｂに示されるように、６枚目の撮影画像が表示される撮影画像表示領域５２２−６には、アートフィルタ加工が施された撮影画像の上に、「フィルタ選択済み」のメッセージが記された帯状の画像が重畳されて表示され、背景画像が選択できないようになされている。
【０１６６】
すなわち、この場合、１枚目から５枚目の撮影画像についての、５枚の背景画像が選択されることになる。
【０１６７】
なお、撮影処理において、６枚の撮影画像のうち、６枚目の撮影画像が加工対象として選択されておらず、５枚目の撮影画像が加工対象として選択されている場合、撮影画像表示領域５２２−５，５２２−６において表示される撮影画像が入れ替わる。すなわち、撮影画像表示領域５２２−５には、アートフィルタ加工が施されていない６枚目の撮影画像が表示され、撮影画像表示領域５２２−６には、アートフィルタ加工が施されている５枚目の撮影画像が表示される。
【０１６８】
さらに、撮影処理において、６枚の撮影画像のいずれも加工対象として選択されていない場合、背景選択画面５１１においては、全ての撮影画像について、背景画像が選択できるようになされる。
【０１６９】
すなわち、この場合、６枚の撮影画像についての、６枚の背景画像が選択されることになる。
【０１７０】
このように、アートフィルタ加工が施された撮影画像については、背景画像が選択されないようにすることで、アートフィルタ加工を施すことで高い完成度を有するようになった撮影画像の加工感を損なうことがなくなり、より確実に、完成度の高い画像を提供することが可能となる。
【０１７１】
なお、アートフィルタの種類によっては、アートフィルタ加工が施された撮影画像についての背景画像の選択を許可するようにしてもよい。この場合のアートフィルタ加工は、背景画像との一体感を生み出す加工であるものとする。例えば、グラデーションのかかったアートフィルタ加工が撮影画像に施されている場合、その撮影画像については、同じようにグラデーションのかかった背景画像のみ選択できるようにしてもよいし、逆に、グラデーションのかかった背景画像のみ選択できないようにしてもよい。これにより、アートフィルタと背景画像との一体感がある、完成度の高い画像を提供することができる。
【０１７２】
［背景選択画面の他の例］
図１８は、背景選択画面の他の例を示している。
【０１７３】
図１８の例では、背景パレット５２１において「セット」タブが選択されている。「セット」タブには、「ガールズフォトグラファー」セット、「アニマル」セット、「ハート」セット、「パステル」セット、「モノトーン」セット、「ハッピー」セット、「ラブラブ」セット、「てがき」セットの８つのセット背景がテーマ毎に表示されている。
【０１７４】
なお、セット背景とは、所定のテーマで統一された複数の背景画像を１組のセットとしたものである。すなわち、「セット」タブに表示されるセット背景は、それぞれテーマに合った、統一感のある６枚の背景画像が配置されて構成される。
【０１７５】
また、背景パレット５２１において、「人物ON」ボタン５３１が選択されると、背景パレット５２１に表示されているセット背景は、６枚の撮影画像が合成された状態で表示される。「人物OFF」ボタン５３２が選択されると、背景パレット５２１に表示されているセット背景は、６枚の撮影画像が合成されていない状態で表示される。
【０１７６】
このように、背景選択画面５１１に表示されるセット背景を、撮影画像と合成させて表示させることで、利用者は、セット背景を合成させた後の撮影画像の仕上がりを確認しながら、セット背景を選択することができる。
【０１７７】
なお、セット背景において、背景画像それぞれは、合成される撮影画像の撮影順に配置されているものとする。
【０１７８】
具体的には、セット背景を構成する６枚（縦２枚、横３枚）の背景画像のうち、上段左の背景画像は、１回目の撮影により得られた撮影画像に合成され、下段左の背景画像は、２回目の撮影により得られた撮影画像に合成される。同様にして、上段中央の背景画像は、３回目の撮影により得られた撮影画像に合成され、下段中央の背景画像は、４回目の撮影により得られた撮影画像に合成され、上段右の背景画像は、５回目の撮影により得られた撮影画像に合成され、下段右の背景画像は、６回目の撮影により得られた撮影画像に合成される。
【０１７９】
なお、本実施の形態においては、撮影処理において、アートフィルタ加工が施される加工対象として選択された撮影画像の有無に応じて、セット背景に含まれる背景画像のうちの、撮影画像に合成される背景画像の枚数が制限される。より具体的には、加工対象として選択された撮影画像の数の分だけ、セット背景に含まれる背景画像のうちの、撮影画像に合成される背景画像の数が制限される。
【０１８０】
例えば、撮影処理において、６枚の撮影画像のうち、５枚目と６枚目の撮影画像が２枚とも加工対象として選択されている場合、背景選択画面５１１においては、図１８Ａに示されるように、それぞれのセット背景において５枚目と６枚目の撮影画像が合成される背景画像の領域には、「フィルタ選択済み」のメッセージが記された帯状の画像が表示され、背景画像が合成されないようになされている。
【０１８１】
すなわち、この場合、セット背景に含まれる背景画像のうちの、１枚目から４枚目の撮影画像についての、４枚の背景画像が合成されることになる。
【０１８２】
なお、図１８Ａにおいて、セット背景において５枚目と６枚目の撮影画像が合成される背景画像の領域に、本来配置される背景画像をグレーアウト表示させた上で、帯状の画像が重畳されて表示されるようにしてもよいし、「人物ON」ボタン５３１や「人物OFF」ボタン５３２の選択に関わらず、アートフィルタ加工が施された撮影画像を表示させた上で、帯状の画像が重畳されて表示されるようにしてもよい。
【０１８３】
また、撮影処理において、６枚の撮影画像のうち、６枚目の撮影画像が加工対象として選択されている場合、背景選択画面５１１においては、図１８Ｂに示されるように、それぞれのセット背景において６枚目の撮影画像が合成される背景画像の領域には、「フィルタ選択済み」のメッセージが記された帯状の画像が表示され、背景画像が合成されないようになされている。
【０１８４】
すなわち、この場合、セット背景に含まれる背景画像のうちの、１枚目から５枚目の撮影画像についての、５枚の背景画像が合成されることになる。
【０１８５】
なお、図１８Ｂにおいても、セット背景において６枚目の撮影画像が合成される背景画像の領域に、本来配置される背景画像をグレーアウト表示させた上で、帯状の画像が重畳されて表示されるようにしてもよいし、「人物ON」ボタン５３１や「人物OFF」ボタン５３２の選択に関わらず、アートフィルタ加工が施された撮影画像を表示させた上で、帯状の画像が重畳されて表示されるようにしてもよい。
【０１８６】
なお、撮影処理において、６枚の撮影画像のうち、６枚目の撮影画像が加工対象として選択されておらず、５枚目の撮影画像が加工対象として選択されている場合、セット背景において、５枚目と６枚目の撮影画像が合成される背景画像の領域が入れ替わる。すなわち、セット背景の上段右の領域には、アートフィルタ加工が施されていない６枚目の撮影画像に合成される背景画像が表示され、セット背景の下段右の領域には、「フィルタ選択済み」のメッセージが記された帯状の画像が表示される。
【０１８７】
さらに、撮影処理において、６枚の撮影画像のいずれも加工対象として選択されていない場合、背景選択画面５１１においては、それぞれのセット背景において全ての撮影画像について、全ての背景画像が合成されるようになされる。
【０１８８】
すなわち、この場合、セット背景に含まれる背景画像全てが合成されることになる。
【０１８９】
なお、図１８Ａにおいて、５枚目と６枚目の撮影画像が表示される撮影画像表示領域５２２−５，５２２−６には、図１７Ａと同様に、アートフィルタ加工が施された撮影画像の上に、「フィルタ選択済み」のメッセージが記された帯状の画像が重畳されて表示されるようにしてもよく、図１８Ｂにおいて、６枚目の撮影画像が表示される撮影画像表示領域５２２−６には、図１７Ｂと同様に、アートフィルタ加工が施された撮影画像の上に、「フィルタ選択済み」のメッセージが記された帯状の画像が重畳されて表示されるようにしてもよい。
【０１９０】
このように、アートフィルタ加工が施された撮影画像については、セット背景における背景画像が合成されないようにすることで、アートフィルタ加工を施すことで高い完成度を有するようになった撮影画像の加工感を損なうことがなくなり、より確実に、完成度の高い画像を提供することが可能となる。
【０１９１】
なお、例えば、６枚の撮影画像のうち、５枚目と６枚目の撮影画像が２枚とも加工対象として選択されている場合、背景選択画面５１１において、図１９に示されるように、５枚目と６枚目の撮影画像が表示される撮影画像表示領域５２２−５，５２２−６を、アートフィルタ加工が施されていない撮影画像が表示される撮影画像表示領域５２２−１乃至５２２−４と分けて配置するようにしてもよい。
【０１９２】
これにより、利用者に対して、どの撮影画像に背景画像が合成されないかを、より確実に把握させることができる。
【０１９３】
また、以上においては、背景選択画面において、アートフィルタ加工が施された撮影画像や、その撮影画像に対応する背景画像の上に、「フィルタ選択済み」のメッセージが記された帯状の画像が重畳されて表示されるものとしたが、これとは逆に、アートフィルタ加工が施されていない撮影画像や、その撮影画像に対応する背景画像の上に、「背景を選択してね」等のメッセージが記された帯状の画像が重畳されて表示されるようにしてもよい。
【０１９４】
これにより、利用者に対して、どの撮影画像に背景画像が合成されるかを、確実に把握させることができる。
【０１９５】
ところで、上述した背景画像の中には、撮影画像における被写体の背景に合成される画像に加え、被写体の前景に合成されるスタンプ画像等の前景画像を含むものがある。
【０１９６】
このような、前景画像を含む背景画像について、アートフィルタ加工が施された撮影画像についての背景画像の選択を許可するようにし、アートフィルタの種類に応じて、その背景画像に含まれる前景画像の色や形状を変えるようにしてもよい。
【０１９７】
なお、以上においては、撮影処理において、アートフィルタ加工が施される加工対象として選択された撮影画像の有無に応じて、撮影画像に合成される背景画像の枚数が制限されるようにしたが、アートフィルタ加工が施される加工対象として選択された撮影画像の有無に応じて、落書き編集処理によって撮影画像に合成されるスタンプ画像やペン画像等の前景画像の数が制限されるようにしてもよい。
【０１９８】
例えば、加工対象として選択された撮影画像に対して、女性が顔全体や顔の一部（器官）の化粧のために用いるリップ、アイライン、つけまつげ、カラーコンタクト、チーク等のアイテムを模したスタンプ画像の合成が制限されるようにする。これにより、アートフィルタ加工を施すことで高い完成度を有するようになった撮影画像の加工感を損なわないようにすることができる。
【０１９９】
また、図１６のステップＳ７６における落書き編集処理では、撮影画像に対してスタンプ画像やペン画像を合成する処理だけでなく、撮影画像を基に、SNS(Social Networking Service)やミニブログ、ブログのサービスなどのサイトに投稿するための画像（以下、SNS用画像という）や、携帯電話機などの待ち受け用の画像（以下、ケータイおまけという）を作成する処理が、必要に応じて行われる。
【０２００】
［SNS用画像について］
図２０は、SNS用画像を作成する際に表示されるSNS用画像作成画面の例を示している。
【０２０１】
SNS用画像は、撮影処理によって得られた撮影画像のうちの所定枚数（具体的には、２枚または５枚）の撮影画像が組み合わされて配置された画像とされる。
【０２０２】
SNS用画像作成画面６０１の下側には、コンテンツパレット６１１が表示されている。図２０の例では、コンテンツパレット６１１において、SNS用画像のデザインを表すデザイン画像が８枚表示されている。コンテンツパレット６１１において、左端に表示されている戻るボタンや、右端に表示されている進むボタンが選択されることで、ページが切り替わり、新たなデザイン画像が表示されるようになる。
【０２０３】
コンテンツパレット６１１において、デザイン画像が選択されることで、SNS用画像における撮影画像の配置と、撮影画像が配置される領域以外の領域の色やデザインが決定される。
【０２０４】
SNS用画像表示領域６１２には、コンテンツパレット６１１において利用者に選択されたデザイン画像に、撮影画像が配置されてなるSNS用画像が表示されている。図２０の例では、SNS用画像表示領域６１２に表示されるSNS用画像に、アップ撮影により得られた４枚の撮影画像と、全身撮影によって得られた２枚の撮影画像のうちの１枚が配置されている。すなわち、この場合、撮影処理において、撮影コースとして「アップ＆全身」コースが選択されている。
【０２０５】
SNS用画像表示領域６１２の右には、SNS用画像に配置される撮影画像の枚数を変更する枚数変更ボタン６１３が設けられている。枚数変更ボタン６１３が操作されることで、コンテンツパレット６１１に表示されるデザイン画像が、変更された枚数の撮影画像が配置されるデザイン画像に切り替わる。このとき、SNS用画像表示領域６１２には、切り替わったデザイン画像のうちの所定の１つに、所定の撮影画像が配置されたSNS用画像が表示されるようになる。
【０２０６】
SNS用画像表示領域６１２の左には、地域変更ボタン６１４および名前修正ボタン６１５が設けられている。
【０２０７】
地域変更ボタン６１４は、予め設定されている写真シール作成装置１の設置場所の地域を変更するためのボタンであり、名前修正ボタン６１５は、編集処理において入力された利用者の名前を変更するためのボタンである。写真シール作成装置１の設置場所の地域の名称や利用者の名前は、SNS用画像において撮影画像が配置される領域以外の領域に、文字として表示される。
【０２０８】
コンテンツパレット６１１とSNS用画像表示領域６１２との間には、SNS用画像に配置されている撮影画像のうちの、アップ撮影により得られた撮影画像を変更するためのアップ画像変更ボタン６１６、および、SNS用画像に配置されている撮影画像のうちの、全身撮影により得られた撮影画像を変更するための全身画像変更ボタン６１７が設けられている。また、コンテンツパレット６１１の右上には、SNS用画像の作成を終了する終了ボタン６１８が設けられている。
【０２０９】
このようにして作成されるSNS用画像において、５枚の撮影画像が配置される場合、少なくとも１枚は、アートフィルタ加工が施された撮影画像となる可能性があるが、この場合、アートフィルタ加工が施される前の状態の撮影画像が配置されるようにする。但し、この撮影画像に対して、落書き編集によってスタンプ画像等の前景画像が合成されている場合には、アートフィルタ加工が施される前の状態で、かつ、これらの前景画像も合成されていない状態の撮影画像が配置されるものとする。
【０２１０】
また、SNS用画像に配置される撮影画像の枚数が、アートフィルタ加工が施された撮影画像の枚数分だけ制限されるようにしてもよい。具体的には、アートフィルタ加工が施された撮影画像がSNS用画像に配置されないようにしてもよい。
【０２１１】
例えば、撮影処理によって、６枚の撮影画像のうち、５枚目と６枚目の撮影画像に対してアートフィルタ加工が施された場合、この２枚はSNS用画像に配置されないようにし、５枚目と６枚目の撮影画像のいずれか一方に対してアートフィルタ加工が施された場合、アートフィルタ加工が施された１枚は、SNS用画像に配置されないようにする。
【０２１２】
［ケータイおまけについて］
また、図示はしないが、上述したSNS用画像と同様にして、ケータイおまけ作成画面が表示されることで、ケータイおまけが作成される。
【０２１３】
ケータイおまけは、撮影処理によって得られた撮影画像のうちの、所定の１枚の撮影画像がトリミングされたり所定の画像処理が施されて得られる画像とされる。
【０２１４】
ケータイおまけを作成するために選択される撮影画像もまた、アートフィルタ加工が施された撮影画像となる可能性があるが、この場合、アートフィルタ加工が施される前の状態の撮影画像を基に、ケータイおまけが作成されるようにする。また、この撮影画像に対して、落書き編集によってスタンプ画像等の前景画像が合成されている場合には、アートフィルタ加工が施される前の状態で、かつ、これらの前景画像も合成されていない状態の撮影画像が配置されるものとする。
【０２１５】
なお、アートフィルタ加工が施された撮影画像を基に、ケータイおまけが作成されるようにしてもよい。また、ケータイおまけの作成の中で、画像処理を施すか否かが選択可能な場合には、その選択結果に応じて、アートフィルタ加工が施された撮影画像をそのまま用いるか、アートフィルタ加工が施される前の状態の撮影画像を用いるかが決定されるようにしてもよい。
【０２１６】
以上のように、SNS用画像やケータイおまけにおいては、必要に応じて、アートフィルタ加工が施された撮影画像がそのまま用いられないようにしたが、シール紙に印刷される印刷画像としては、アートフィルタ加工が施された撮影画像がそのまま用いられるものとする。
【０２１７】
［シール紙の例］
図２１は、アートフィルタ加工が施された撮影画像が印刷されたシール紙の例を示している。
【０２１８】
縦長のシールレイアウトで印刷画像が配置されているシール紙６６１において、その中程には、アップ撮影により得られた４枚の撮影画像に落書き編集が施された編集済み画像６７１−１乃至６７１−４が配置され、その上方には、全身撮影によって得られた２枚の撮影画像であって、アートフィルタ加工が施された撮影画像６７１−５，６７１−６が配置されている。すなわち、この場合、撮影処理において、撮影コースとして「アップ＆全身」コースが選択されている。また、編集済み画像６７１−３，６７１−４の下方には、編集済み画像６７１−１乃至６７１−４のうちの所定の３枚が縮小された編集済み画像６７２−１乃至６７２−３が配置されている。
【０２１９】
このように、本実施の形態においては、アートフィルタ加工が施された撮影画像は、最も目に入りやすいシール紙の上部に配置され、印刷されるものとする。これにより、シール紙において、高い完成度を有する撮影画像をより目立たせることができ、シール紙全体としての完成度も高めることができる。
【０２２０】
なお、アートフィルタ加工が施されている撮影画像が１枚の場合には、例えば、シール紙の右上部に配置され、印刷されるものとする。
【０２２１】
図２１の例では、アートフィルタ加工が施されている撮影画像が、全身撮影によって得られた撮影画像であるものとしたが、アップ撮影によって得られた撮影画像であってももちろんよい。
【０２２２】
また、アートフィルタ加工が施されている撮影画像の数に応じて、シール紙において印刷画像が配置される領域以外の領域に印刷される文字や図柄が変更されるようにしてもよい。
【０２２３】
［ボーナス撮影が行われなかった場合の扱い］
ところで、撮影処理において、５回目の撮影を終えたときに、その次の撮影が時間的に可能であれば、６回目の撮影として「ボーナス撮影」が行われ、６枚の撮影画像が得られるものとした。
【０２２４】
一方、５回目の撮影を終えたときに、その次の撮影が時間的に可能でない場合には、ボーナス撮影は行われない。この場合、撮影制御部３１３は、５回目の撮影により得られた撮影画像と同一の撮影画像を生成することで、６枚の撮影画像が得られるようにする。
【０２２５】
この場合、５枚目の撮影画像と、５枚目の撮影画像と同一の撮影画像（以下、コピー画像という）が、アートフィルタ加工の加工対象となり得る。
【０２２６】
例えば、アートフィルタ選択画面４１１（図１４）において、５枚目の撮影画像について選択されたアートフィルタ加工が、５枚目の撮影画像とコピー画像とに施されるようにしてもよいし、５枚目の撮影画像について選択されたアートフィルタ加工が、５枚目の撮影画像に施されるとともに、６枚目の撮影画像について選択されたアートフィルタ加工が、コピー画像に施されるようにしてもよい。
【０２２７】
特に、同一のアートフィルタ加工が、５枚目の撮影画像とコピー画像と施された場合には、それぞれに対して異なる落書き編集を行うことで、見映えの異なる編集済み画像を得ることができ、利用者にとって興味深い画像となる。
【０２２８】
以上においては、撮影画像に施される加工は、アートフィルタ加工であるものとして説明してきたが、これに限らず、撮影画像に施される加工として、画像の一部または全体の色情報（トーンカーブ、輝度値、コントラスト等）を変更する処理（色情報変更処理）が行われるようにしてもよいし、アートフィルタ加工と色情報変更処理の両方が行われるようにしてもよい。
【０２２９】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２３０】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２３１】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２３２】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【符号の説明】
【０２３３】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
３１１  表示制御部
３１２  入力受付部
３１３  撮影制御部
３１４  加工処理部
３２１  表示制御部
３２２  入力受付部
３２３  合成処理部
【図１】
0006048754.tif 000002
【図２】
0006048754.tif 000003
【図３】
0006048754.tif 000004
【図４】
0006048754.tif 000005
【図５】
0006048754.tif 000006
【図６】
0006048754.tif 000007
【図７】
0006048754.tif 000008
【図８】
0006048754.tif 000009
【図９】
0006048754.tif 000010
【図１０】
0006048754.tif 000011
【図１１】
0006048754.tif 000012
【図１２】
0006048754.tif 000013
【図１３】
0006048754.tif 000014
【図１４】
0006048754.tif 000015
【図１５】
0006048754.tif 000016
【図１６】
0006048754.tif 000017
【図１７】
0006048754.tif 000018
【図１８】
0006048754.tif 000019
【図１９】
0006048754.tif 000020
【図２０】
0006048754.tif 000021
【図２１】
0006048754.tif 000022